Podtech/llm-jp-corpus-v4-ja_patent huggingface dataset:
【手続補正書】
【提出日】平成28年8月15日(2016.8.15)
【手続補正１】
【補正対象書類名】特許請求の範囲
【補正対象項目名】全文
【補正方法】変更
【補正の内容】
【特許請求の範囲】
【請求項１】
式II：
【化１】
2015521167.tif 000001
〔式中、Ｒ5は
非置換フェニレン基、又は、
アルキル、ハロ、アルコキシおよびハロアルキルから独立して選択される１個以上の基で置換されたフェニレン基であり；
Ｒ6は
【化２】
2015521167.tif 000002
から選択され；
Ｒ7およびＲ8は水素、場合により置換されていてよいＣ1-6アルキルおよび場合により置換されていてよいＣ3-7シクロアルキルから成る群から独立して選択され；
Ｘは酸素であり；
用語“アルキル”は、１〜６個の炭素原子を有する、一価直鎖または分枝鎖飽和炭化水素基を示し、
用語“ハロ”は、フッ素、塩素、臭素およびヨウ素を示し、
用語“アルコキシ”は、直鎖または分枝鎖アルキルオキシ基(ここで、アルキルは上に定義したとおりである)を示し、
用語“場合により置換されていてよい”は、本用語が関連している基が非置換でも、ハロゲン、Ｃ1−Ｃ6アルキル、Ｃ2−Ｃ6アルケニル、Ｃ1−Ｃ6ハロアルキル、Ｃ1−Ｃ6アルコキシ、ヒドロキシ(Ｃ1-6)アルキル、Ｃ3−Ｃ6シクロアルキル、Ｃ(Ｏ)Ｈ、Ｃ(Ｏ)ＯＨ、ＮＨＣ(Ｏ)Ｈ、ＮＨＣ(Ｏ)Ｃ1−Ｃ4アルキル、Ｃ(Ｏ)Ｃ1−Ｃ4アルキル、ＮＨ2、ＮＨＣ1−Ｃ4アルキル、Ｎ(Ｃ1−Ｃ4アルキル)2、ＮＯ2、ＯＨおよびＣＮから成る群から独立して選択される１個以上の基で置換されていてもよいことを意味する。〕
の化合物またはその薬学的に許容される塩、溶媒和物、または多形体。
【請求項２】
Ｒ5が、非置換フェニレン基、又は、
メチル、フッ素、塩素、臭素、ＯＣＨ3、及びＣＦ3から独立して選択される１個以上の基で置換されたフェニレン基である、請求項１に記載の化合物。
【請求項３】
Ｒ7およびＲ8が双方水素であるか、Ｒ7およびＲ8が双方Ｃ1-6アルキルであるか、Ｒ7が水素でＲ8がＣ1-6アルキルである、請求項１又は２に記載の化合物。
【請求項４】
Ｒ6が
【化３】
2015521167.tif 000003
であり、
Ｒ7およびＲ8が請求項１又は３で定義したとおりである、請求項１〜３のいずれかに記載の化合物。
【請求項５】
Ｒ6が
【化４】
2015521167.tif 000004
であり、
Ｒ7およびＲ8が請求項１又は３で定義したとおりである、請求項１〜３のいずれかに記載の化合物。
【請求項６】
次のものからなる群から選択される、請求項１に記載の化合物またはその薬学的に許容される塩または溶媒和物。
【表１】
2015521167.tif 000005
2015521167.tif 000006
【請求項７】
(Ｅ)−４−(２−(アミノメチル)−３−フルオロアリルオキシ)−Ｎ−ｔｅｒｔ−ブチルベンズアミドまたはその薬学的に許容される塩または溶媒和物。
【請求項８】
請求項１〜７のいずれかに記載の化合物の薬学的に許容される塩。
【請求項９】
酸付加塩である、請求項８に記載の薬学的に許容される塩。
【請求項１０】
酸付加塩が、塩酸塩、臭化水素酸塩、硫酸塩、ギ酸塩、酢酸塩、乳酸塩、リンゴ酸塩、酒石酸塩、クエン酸塩、アスコルビン酸塩、コハク酸塩、マレイン酸塩、酪酸塩、吉草酸塩、及びフマル酸塩からなる群から選択される、請求項９に記載の薬学的に許容される塩。
【請求項１１】
酸付加塩が塩酸塩である、請求項１０に記載の薬学的に許容される塩。
【請求項１２】
薬学的に許容される塩  (Ｅ)−４−(２−(アミノメチル)−３−フルオロアリルオキシ)−Ｎ−ｔｅｒｔ−ブチルベンズアミド塩酸塩。
【請求項１３】
請求項１〜７のいずれかに記載の化合物、又は請求項８〜１２のいずれかに記載の薬学的に許容される塩、又はそれらの溶媒和物を含む、組成物。
【請求項１４】
ＳＳＡＯ／ＶＡＰ−１タンパク質と関連するまたはそれにより調節される疾患の処置用の、請求項１３に記載の組成物であって、
疾患が、炎症、線維症、糖尿病誘発疾患、神経炎症性疾患、又は癌である、組成物。
【請求項１５】
該炎症が肝疾患、呼吸器疾患、嚢胞性線維症、喘息または慢性閉塞性肺疾患、または、眼疾患と関連する、請求項１４に記載の組成物。
【請求項１６】
疾患が糖尿病性腎症、糸球体硬化症、糖尿病性網膜症、非アルコール性脂肪肝疾患および脈絡膜新生血管から成る群から選択される糖尿病誘発疾患である、請求項１４に記載の組成物。
【請求項１７】
疾患が嚢胞性線維症、肝線維症、肝硬変、腎線維症、強皮症、特発性肺線維症および放射線誘発線維症から成る群から選択される、請求項１４に記載の組成物。
【請求項１８】
疾患が肝硬変に至る、非アルコール性脂肪肝疾患、非アルコール性脂肪性肝炎(ＮＡＳＨ)、又はアルコール誘発線維症である、請求項１７に記載の組成物。
【請求項１９】
ＳＳＡＯ／ＶＡＰ−１タンパク質と関連するまたはそれにより調節される疾患の処置用医薬の製造のための、請求項１〜７のいずれかに記載の化合物またはその薬学的に許容される塩または溶媒和物、または請求項１３に記載の組成物の使用。
【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
ライナーの製造方法であって、
管状ライナー本体の外周縁付近をほぼ均一に引き延ばす工程、および
引き延ばされた外周縁に沿ってシート部を溶接する工程
を含む方法。
【請求項２】
前記外周縁が、前記管状ライナー本体の頂部外周縁であり、前記シート部が、付属品を溶接させた頂部ライナーシート部である請求項１に記載のライナーの製造方法。
【請求項３】
前記管状ライナー本体の底部外周縁付近をほぼ均一に引き延ばす工程、および引き延ばされた底部外周縁に沿って底部ライナーシート部を溶接する工程を更に含む請求項２に記載のライナーの製造方法。
【請求項４】
頂部ライナーシート部の付属品が前記管状ライナー本体の中心軸とほぼ一直線上になるように、前記頂部ライナーシート部が前記管状ライナー本体に溶接される請求項２に記載のライナーの製造方法。
【請求項５】
前記管状ライナー本体の外周縁を引き延ばし装置に脱着可能に取り付ける工程、および前記外周縁を径方向に引き延ばすように引き延ばし装置を作動させる工程を更に含む請求項１に記載のライナーの製造方法。
【請求項６】
前記外周縁が、外周縁に沿ってほぼ均等に径方向に引き延ばされる請求項５に記載のライナーの製造方法。
【請求項７】
引き延ばされた外周縁を、シーリング環の上に位置決めする工程、および外周縁を引き延ばし装置から取り外すことにより、引き延ばされた外周縁を前記シーリング環の上に維持する工程を更に含む請求項５に記載のライナーの製造方法。
【請求項８】
シーリング環の上に引き延ばされた外周縁の上にシート部を位置決めする工程を更に含み、引き延ばされた外周縁に沿ってシート部を溶接する工程が、前記シーリング環に沿ってシート部を引き延ばされた外周縁に溶接することを含む、請求項７に記載のライナーの製造方法。
【請求項９】
シーリング環の上に引き延ばされた外周縁の上にシート部を位置決めする工程が、シート部を少なくとも１つの方向に引き延ばすことを更に含む、請求項８に記載のライナーの製造方法。
【請求項１０】
実質的に開放状態に引き延ばされた外周縁を有する管状ライナー本体を支持する工程、
開放した外周縁の上にシート部を支持する工程であって、前記シート部の平面は管状ライナー本体の中心軸に対しほぼ垂直である工程、および
引き延ばし装置を作動させて管状ライナー本体の反対側でシート部と接触させ、シート部の少なくとも一部を前記開放した外周縁の中へ拡張させる工程
を更に含む請求項１に記載のライナーの製造方法。
【請求項１１】
管状ライナー本体は約８０μｍ〜約２８０μｍの厚さを有する請求項１に記載のライナーの製造方法。
【請求項１２】
ライナーの製造方法であって、
頂部外周縁と、底部外周縁と、頂部外周縁から底部外周縁まで延びる溶接線とを有する管状本体部を形成する工程、
管状本体の頂部外周縁付近を引き延ばし、引き延ばされた頂部外周縁に沿って頂部ライナーシート部を溶接する工程であって、頂部ライナーシート部は溶接された付属品を有する工程、および
管状本体の底部外周縁付近を引き延ばし、引き延ばされた底部外周縁に沿って底部ライナーシート部を溶接する工程
を含む方法。
【請求項１３】
請求項１２に記載のライナーの製造方法であって、管状本体部は、管状本体を形成するように互いに溶接された２枚のシートを含み、したがって、管状本体部は頂部外周縁から底部外周縁まで延びる２本の溶接線を有し、前記製造方法は、
管状ライナー本体の頂部外周縁を引き延ばし装置に脱着可能に取り付け、頂部外周縁を径方向に引き延ばすように引き延ばし装置を作動させ、引き延ばされた頂部外周縁をシーリング環上に位置決めし、頂部外周縁を引き延ばし装置から取り外すことにより、引き延ばされた頂部外周縁をシーリング環上に維持し、頂部の引き延ばされた外周縁に沿って頂部ライナーシート部を溶接するために、シーリング環上に引き延ばされた頂部外周縁の上に頂部ライナーシート部を位置決めする工程、および
管状ライナー本体の底部外周縁を引き延ばし装置に脱着可能に取り付け、底部外周縁を径方向に引き延ばすように引き延ばし装置を作動させ、引き延ばされた底部外周縁をシーリング環上に位置決めし、底部外周縁を引き延ばし装置から取り外すことにより、引き延ばされた底部外周縁をシーリング環上に維持し、引き延ばされた底部外周縁に沿って底部ライナーシート部を溶接するために、シーリング環上に引き延ばされた底部外周縁の上に底部ライナーシート部を位置決めする工程
を更に含む、製造方法。
【請求項１４】
請求項１２に記載の製造方法によって製造されたライナー。
【請求項１５】
管状本体部と頂部ライナーシート部との間の溶接は、各部の濡らされる表面同士を接触させて実施される請求項１４に記載のライナー。
【請求項１６】
管状本体部と底部ライナーシート部との間の溶接は、各部の濡らされる内側表面同士を接触させて実施される請求項１５に記載のライナー。
【請求項１７】
管状本体部は、管状本体を形成するように互いに溶接された２枚のシートを含み、したがって、管状本体部は頂部外周縁から底部外周縁まで延びる２本の溶接線を有する請求項１４に記載のライナー。
【誤訳訂正書】
【提出日】平成28年2月8日(2016.2.8)
【誤訳訂正１】
【訂正対象書類名】特許請求の範囲
【訂正対象項目名】全文
【訂正方法】変更
【訂正の内容】
【特許請求の範囲】
【請求項１】
フェノールを含む芳香族炭化水素流の精製方法であって、該芳香族炭化水素流を、フェノールの吸着に対して選択性の吸着剤と接触させて、該プロセス流よりも低いフェノール濃度を持つ生成物流を製造する工程を含み、該プロセス流から除去されるフェノールの量が、該接触により生成されるベンゼンの量よりも大きく、またはパラキシレンの異性化の量よりも大きく、かつ該芳香族炭化水素流がアルキル化工程の下流側流出物を含み、該アルキル化工程が、該芳香族炭化水素流を与えるのに適した条件の下に、適当なアルキル化触媒の存在下で、メタノール、ジメチルエーテル(DME)、およびこれらの混合物から選択されるアルキル化剤を、ベンゼンおよび/またはトルエンと反応させる工程を含み、前記吸着剤がアルミナ、シリカ、モレキュラーシーブ、塩基性有機樹脂、およびこれらの混合物から選択されることを特徴とする、前記方法。
【請求項２】
前記方法が選択的にパラキシレンを製造する工程を含み、かつ以下に列挙する工程を含む、請求項1記載の方法：
(i) トルエンおよび/またはベンゼンを、メタノール、ジメチルエーテル(DME)、およびこれらの混合物から選択されるアルキル化剤と、適当な触媒の存在の下に、平衡量よりも多くの量のパラキシレンを含む芳香族炭化水素流を製造するのに適した条件の下で反応させる工程；および
(ii) 該芳香族炭化水素流を、フェノールの選択的除去に適した吸着剤と、該プロセス流よりも低いフェノール濃度を持つ生成物流を与えるように接触させる工程。
【請求項３】
前記生成物流が、10ppm wt未満のフェノールを含む、請求項1記載の方法。
【請求項４】
前記生成物流が、1.0ppm wt未満のフェノールを含む、請求項1記載の方法。
【請求項５】
更に、前記吸着剤の再生工程をも含む、請求項1記載の方法。
【請求項６】
前記吸着剤の再生工程が、以下に列挙する工程(1)〜(4)：
(1) 少なくとも1種の不活性ガスと、芳香族物質、アルコール、ケトン、水、CO2、CS2、およびこれらの混合物から選択される、少なくとも1種の溶媒との混合物による、20℃より高い温度でのパージ、
(2) 芳香族物質、アルコール、ケトン、水、CO2、CS2、およびこれらの混合物の少なくとも1種から選択される溶媒による、20℃より高い温度でのパージ、これに続く100℃より高い温度での不活性ガスパージ,
(3) 少なくとも1種の有機溶媒と少なくとも1種の無機溶媒との混合物による、25℃より高い温度でのパージ、これに続く150℃より高い温度における不活性ガスパージ；および
(4) 空気、酸素と窒素との混合物、蒸気、またはこれらの混合物による、150℃より高い温度におけるパージ、
の少なくとも一つから選択される、請求項５記載の方法。
【請求項７】
前記芳香族炭化水素流が、更にスチレンを含み、かつ前記方法が、該スチレンの少なくとも一部を除去する工程を含む、請求項1記載の方法。
【請求項８】
更に、パラキシレンの回収工程をも含む、請求項1記載の方法。
【請求項９】
パラキシレンの回収工程が、パラキシレンの結晶化および/または選択的吸着を含む、請求項８記載の方法。
【請求項１０】
前記パラキシレンの回収工程が、前記芳香族炭化水素流と、キシレンに比較してフェノールの吸着に関して選択的な吸着剤との前記接触の下流側にあり、かつパラキシレンを選択的に取出して、パラキシレンに富む芳香族炭化水素流とパラキシレンに枯渇した芳香族炭化水素流とを与える工程を含む、請求項９記載の方法。
【請求項１１】
更に、異性化工程をも含む、請求項1記載の方法。
【請求項１２】
前記方法における少なくとも一つの工程が水素の存在下にある、請求項1記載の方法。
【請求項１３】
ZSM-5を含有する酸触媒の存在下で、メタノール、ジメチルエーテル(DME)、およびこれらの混合物から選択されるアルキル化剤と、ベンゼンおよび/またはトルエンとの反応を含む、請求項1記載の方法。
【請求項１４】
触媒が、蒸煮処理されているリン-含有ZSM-5触媒である、請求項13記載の方法。
【誤訳訂正２】
【訂正対象書類名】明細書
【訂正対象項目名】００３０
【訂正方法】変更
【訂正の内容】
【００３０】
スプリッター3からの上記パラキシレンに富むオーバーヘッドは、道管15を介して随意の第二の分別カラム7に、あるいはユニット2Aが存在しない場合には、第一のフェノール除去ユニット2Bに渡される。今やフェノール除去ユニット2Aおよび/または2Bの一方または両者により処理されている該パラキシレンに富む流れ15は、次に道管15を介して、芳香族物質C9+等の重質物質21を除去するための分別装置7に渡され、またパラキシレンに富み、フェノールの枯渇する流れ(流出物11に比較して)を含有するオーバーヘッド16を、該方法の更なる下流へと渡す。この流れ16は、場合により、例えば苛性アルカリ洗浄によって(米国特許出願第13/487,651号参照)による、他の含酸素物質等のその他の不純物を除去、または米国仮特許出願第61/653,688号[代理人事件番号2012EM112]において説明されているように、スチレンを除去するための装置4において処理することができる。次に、該流れ17は、当分野において公知の型のパラキシレン取出しユニット5、例えば吸着分離ユニット(例えば、パレックス(ParexTM)ユニットまたはエルキシル(EluxylTM)ユニット)あるいは結晶化による分離に送られる。最終的に望まれる高純度のパラキシレン流は、道管18を介して取出され、また別にパラキシレン取出しユニットとの関連でラフィネートとして知られているパラキシレンの枯渇した流れ22は、当分野においてそれ自体周知の型の液相異性化ユニット6に送られ、該ユニットにおいて該パラキシレンの枯渇したラフィネートは、キシレンの平衡濃度(即ち、約22〜24質量％のパラキシレン)まで異性化される。該異性化は液相または気相何れであってもよく、これら各々は、それ自体当分野において公知である。異性化後、該平衡キシレン流は、ライン20を通して分別装置7に再循環することができ、あるいは所望の如く処理することもできる。
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
ａ）ｉ）少なくとも１種のグアニン系抗ウイルス活性医薬成分、および
ｉｉ）少なくとも１種の顆粒内の医薬的に許容し得る賦形剤、
を含む接着剤不含顆粒と、
ｂ）少なくとも１種の顆粒外医薬賦形剤と、
ｃ）場合により水分バリアコーティングと
を含み、Ｂ型肝炎ウイルス感染の処置に適する、医薬組成物。
【請求項２】
前記グアニン系抗ウイルス活性医薬成分が、ラミブジン、ペグインターフェロン、アデホビル、エンテカビル、テルビブジン、テノホビル、およびそれらの組み合わせからなる抗ウイルス薬の群より選択される前記組成物であって、好ましくは前記グアニン系抗ウイルス活性医薬成分がエンテカビルまたはその医薬的に許容し得る塩である、請求項１に記載の医薬組成物。
【請求項３】
エンテカビルが、約０．１ｍｇ〜約５．０ｍｇの範囲内の量で存在する前記組成物であって、場合により前記組成物が約０．１ｍｇまたは約０．５ｍｇまたは約１．０ｍｇのエンテカビルを含む、請求項２に記載の医薬組成物。
【請求項４】
前記医薬的に許容し得る賦形剤が、充填剤、希釈剤、潤滑剤、崩壊剤、コーティングポリマーおよびそれらの組み合わせからなる群より選択される、請求項１〜３のいずれか１項に記載の医薬組成物。
【請求項５】
前記充填剤が、微結晶セルロース、セルロース、二塩基性リン酸カルシウム、炭酸カルシウム、スクロース、ラクトース、グルコース、マンニトール、ソルビトール、マルトール、プレゼラチン化デンプン、コーンスターチ、ジャガイモデンプンおよびそれらの組み合わせからなる群より選択される前記組成物であって、場合により前記充填剤がラクトース‐水和物または微結晶セルロースであり、好ましくはラクトースが前記組成物全体の約３０％ｗ／ｗ〜約７０％ｗ／ｗの範囲内の量で存在する、または好ましくは微結晶セルロースが前記組成物全体の約３０％ｗ／ｗ〜約７０％ｗ／ｗの範囲内の量で存在する、請求項４に記載の医薬組成物。
【請求項６】
前記崩壊剤が、クロスポビドン、デンプングリコール酸ナトリウム、プレゼラチン化デンプンナトリウム、変性コーンスターチおよびそれらの組み合わせからなる群より選択される前記組成物であって、場合により前記崩壊剤がクロスポビドンであり、好ましくはクロスポビドンが前記組成物全体の約２．０％ｗ／ｗ〜約１０％ｗ／ｗの範囲内の量で存在する、請求項４に記載の医薬組成物。
【請求項７】
前記潤滑剤が、ステアリン酸マグネシウム、ステアリン酸カルシウム、ステアリン酸亜鉛、ステアリン酸ナトリウム、ステアリン酸、ステアリン酸アルミニウム、ベヘン酸グリセリル、水素化植物油およびそれらの組み合わせからなる群より選択される前記組成物であって、場合により前記潤滑剤がステアリン酸マグネシウムであり、ステアリン酸マグネシウムが前記組成物全体の約０．１％ｗ／ｗ〜約２％ｗ／ｗの範囲内の量で存在する、請求項４に記載の医薬組成物。
【請求項８】
前記顆粒内医薬賦形剤が、充填剤および崩壊剤を含む前記組成物であって、場合により前記充填剤が微結晶セルロースおよびラクトースを含み、場合により前記崩壊剤がクロスポビドンを含む、請求項１〜７のいずれか１項に記載の医薬組成物。
【請求項９】
前記顆粒外医薬賦形剤が、充填剤および崩壊剤を含む前記組成物であって、場合により前記充填剤が微結晶セルロースおよびラクトースを含み、場合により前記崩壊剤がクロスポビドンを含む、請求項１〜３および８のいずれか１項に記載の医薬組成物。
【請求項１０】
潤滑剤を含む前記組成物であって、場合により前記潤滑剤がステアリン酸マグネシウムである、請求項１〜３、８および９のいずれか１項に記載の医薬組成物。
【請求項１１】
前記水分バリアコーティングが、ＰＶＡ系Ｏｐａｄｒｙ（登録商標）、Ｏｐａｄｒｙ（登録商標）ＡＭＢ、Ｏｐａｄｒｙ（登録商標）２００、およびそれらの混合物からなる群より選択される、請求項１〜１０のいずれか１項に記載の医薬組成物。
【請求項１２】
前記経口医薬組成物が、錠剤またはカプセルである、請求項１〜１１のいずれか１項に記載の医薬組成物。
【請求項１３】
湿式造粒法により製造される、請求項１〜１２のいずれか１項に記載の医薬組成物。
【請求項１４】
エンテカビルまたはその医薬的に許容し得る塩を含み、エンテカビルまたはその医薬的に許容し得る塩が０．１ｍｇ〜５．０ｍｇの範囲内の量で存在し、Ｂ型肝炎ウイルス感染の処置に用いられる、接着剤不含医薬組成物。
【請求項１５】
工程が以下のステップ：
（１）無水アルコールおよび精製水を含有する含水アルコール溶液にエンテカビルを溶解するステップと；
（２）顆粒溶液を調製するステップと；
（３）充填剤および崩壊剤を高剪断造粒機に添加して混合するステップと；
（４）ステップ（２）の造粒溶液をステップ（３）の混合ブレンドに添加するステップと；
（５）コンテナを無水アルコールおよび精製水ですすぎ、この溶液を前記高剪断ボウルに混合しながら添加するステップと；
（６）ステップ（５）から得られた前記湿性顆粒を乾燥させるステップと；
（７）ステップ（６）の乾燥された顆粒をふるいにかけて、均一で塊のない顆粒を得るステップと；
（８）ステップ（７）の顆粒をビンブレンダーに添加するステップと；
（９）充填剤および崩壊剤をステップ（８）のブレンドに添加して混合するステップと；
（１０）ステップ（７）の顆粒に潤滑剤を添加するステップと；
（１１）ステップ（１０）の顆粒をステップ（９）のブレンドに添加して混合するステップと；
（１２）ステップ（１１）の内容物を打錠するステップと；
（１３）場合により、ステップ（１２）の内容物をコーティング分散体でコーティングするステップと
を含む、治療有効量のエンテカビルを含む接着剤不含顆粒と、少なくとも１種の顆粒内の医薬的に許容し得る賦形剤と、少なくとも１種の顆粒外医薬賦形剤と、場合により水分バリアコーティングとを含む、経口投与用の医薬組成物を製造する方法。
【請求項１６】
ステップ（３）に含まれる前記充填剤がラクトースおよび微結晶セルロースを含み、および／またはステップ（９）に含まれる前記充填剤が微結晶セルロースを含み、および／または前記崩壊剤がクロスポビドンであり、および／または前記潤滑剤がステアリン酸マグネシウムである、請求項１５に記載の医薬組成物を製造する方法。
【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
カーボンナノチューブを作製するためのシステムであって、
フィードガスを受け触媒粒子により反応させてカーボンナノチューブを形成し、カーボンナノチューブを含む連続反応器流出物をオーバーヘッドで排出するように構成された反応器と、
連続反応器流出物から触媒粒子を単離し、触媒粒子を反応器へリサイクルラインを介して戻すように構成された第１の分離容器と、
連続反応器流出物からカーボンナノチューブを単離し、連続反応器流出物からガス状成分を含む廃ストリームを生成するように構成された第２の分離容器と、
廃ストリームからの廃熱によりフィードガスを加熱するように構成された熱交換器と
を含むシステム。
【請求項２】
反応器が、流動床反応器を含む、請求項１に記載のシステム。
【請求項３】
廃ストリームが残留カーボンナノチューブを含む、請求項１に記載のシステム。
【請求項４】
第２の分離容器が重力式分離容器を含む、請求項１に記載のシステム。
【請求項５】
重力式分離容器がサイクロン式分離器を含む、請求項４に記載のシステム。
【請求項６】
サイクロン式分離器が単一のサイクロンを含む、請求項５に記載のシステム。
【請求項７】
サイクロン式分離器が多重サイクロンを含む、請求項５に記載のシステム。
【請求項８】
重力式分離容器がドリフト分離器を含む、請求項４に記載のシステム。
【請求項９】
第２の分離容器が、電場を与えるように構成された静電気分離ユニットを含む、請求項１に記載のシステム。
【請求項１０】
第２の分離容器が磁気分離容器を含む、請求項１に記載のシステム。
【請求項１１】
廃ストリームから残留カーボンナノチューブを除去するフィルターを含む、請求項１に記載のシステム。
【請求項１２】
フィルターが、焼結セラミックフィルター、焼結金属フィルター、繊維バグフィルターもしくは流動床フィルターまたはその任意の組合せを含む、請求項１１に記載のシステム。
【請求項１３】
フィルターが、任意の残留カーボンナノチューブを除去するための自浄式手順を実施するように構成されている、請求項１１に記載のシステム。
【請求項１４】
カーボンナノチューブを作製するための方法であって、
フィードガスを触媒と反応器中で反応させてカーボンナノチューブを形成するステップと、
ナノチューブを含む連続反応器流出物を反応器のオーバーヘッドで排出するステップと、触媒粒子を除去し、触媒粒子を反応器へリサイクルラインを介して戻す触媒分離容器を通して連続反応器流出物を流すステップと、
カーボンナノチューブ分離容器を通して触媒分離容器からの連続反応器流出物を流すステップと、
カーボンナノチューブ分離容器において連続反応器流出物からカーボンナノチューブを分離するステップと、
連続反応器流出物からガス状成分を含む廃ストリームを生成させるステップと、
熱交換器を介して、廃ストリームからの廃熱によりフィードガスを加熱するステップと
を含む方法。
【請求項１５】
カーボンナノチューブ分離容器において連続反応器流出物からカーボンナノチューブを分離するステップが、電磁分離プロセスによって、ガス状成分を含む廃ストリームからカーボンナノチューブを単離するステップを含む、請求項１４に記載の方法。
【請求項１６】
カーボンナノチューブ分離容器において連続反応器流出物からカーボンナノチューブを分離するステップが、重力分離プロセスによって、ガス状成分を含む廃ストリームからカーボンナノチューブを単離するステップを含む、請求項１４に記載の方法。
【請求項１７】
カーボンナノチューブ分離容器がサイクロン式分離器を含む、請求項１６に記載の方法。
【請求項１８】
サイクロン式分離器が多重サイクロン式分離器を含む、請求項１７に記載の方法。
【請求項１９】
カーボンナノチューブ分離容器が、連続反応器流出物からカーボンナノチューブを分離し、密度に基づいた分離プロセスによって、ガス状成分を含む廃ストリームを生成する、請求項１４に記載の方法。
【請求項２０】
廃ストリームを濾過して廃ストリームから残留カーボンナノチューブを除去する、請求項１４に記載の方法。
【請求項２１】
カーボンナノチューブを作製するためのシステムであって、
フィードガスを触媒により反応させてカーボンナノチューブを形成する反応器であって、反応器の上部に、カーボンナノチューブを含む連続反応器流出物を反応器のオーバーヘッドで排出するための出口を含む反応器と、
連続反応器流出物から触媒を分離し、触媒を反応器へリサイクルラインを介して戻す触媒分離容器と、
触媒分離容器から排出された連続反応器流出物から、カーボンナノチューブの第１の精製ストリーム、およびガス状成分を含む第１の残留ストリームを生成するように構成された分離システムと、
第１の残留ストリームを濾過してカーボンナノチューブの第２の精製ストリーム、およびガス状成分を含む第２の残留ストリームを生成するように構成されたろ過システムであって、第２の残留ストリームが廃ガスストリームである、ろ過システムと、
フィードガスを、廃ガスストリームからの廃熱により加熱するように構成された熱交換器と
を含むシステム。
【請求項２２】
分離システムが、多重サイクロン分離システムまたは単一のサイクロン分離システムを含む、請求項２１に記載のシステム。
【請求項２３】
分離システムが電気集塵器を含む、請求項２１に記載のシステム。
【請求項２４】
分離システムが磁気分離システムを含む、請求項２１に記載のシステム。
【請求項２５】
分離システムが慣性分離システムを含む、請求項２１に記載のシステム。
【請求項２６】
ろ過システムが、焼結セラミックろ過システム、焼結金属ろ過システム、繊維バグろ過システムもしくは流動床ろ過システムまたはその任意の組合せを含む、請求項２１に記載のシステム。
【請求項２７】
第１の精製ストリームと第２の精製ストリームを一緒にして、カーボンナノチューブの最終精製ストリームにするように構成されている、請求項２１に記載のシステム。
【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
セメント性組成物を改質するための、安定な水担体中添加物組成物であって、水と
ａ）ポリアルキレンオキシドを含んでなり、水性担体の合計重量に基づく０．２％の濃度において５０ＮＴＵより大きい濁度値を有する、少なくとも１種の水分散性脱泡剤；
ｂ）ポリエチレンオキシド基、ポリプロピレンオキシド基又はそれらの混合物を有する少なくとも１種のポリカルボキシレートセメント分散剤；ならびに
ｃ）８〜１５０ナノメーターのＺ−平均寸法を有し、シリカ、アルミナ、酸化亜鉛、酸化錫、酸化セリウム、ジルコニア及びそれらの混合物より成る群から選ばれるコロイド状ナノ粒子
を含んでなり、
コロイド状ナノ粒子が、水担体中組成物中で、少なくとも１種の水分散性脱泡剤及び少なくとも１種のポリカルボキシレートセメント分散剤と組み合わされるとき、水分散性脱泡剤を安定化する、水担体中添加物組成物
【請求項２】
該成分（ａ）において、該少なくとも１種の水分散性脱泡剤が、エチレンオキシド及びプロピレンオキシドのランダム、ブロック、もしくはトリブロック共重合体、エトキシル化もしくはプロポキシル化アルコール、脂肪アルコール、アルキルアミン、アルキルポリアミン、又は、脂肪カルボン酸である、請求項１の水担体中添加物組成物。
【請求項３】
固体含有物に基づく、該成分（ａ）の少なくとも１種の水分散性脱泡剤対該成分（ｂ）の少なくとも１種のポリカルボキシレートセメント分散剤の重量比が１：１０００〜１：２であり、固体含有物に基づく該成分（ａ）対該成分（ｃ）の重量比が１：０．５〜１：１０である、請求項１の水担体中添加物組成物
【請求項４】
該少なくとも１種のポリカルボキシレートセメント分散剤の濃度が、水担体中組成物の重量に基づいて５％〜６０％である、請求項１の水担体中添加物組成物
【請求項５】
該少なくとも１種のポリカルボキシレートセメント分散剤の添加の前に該コロイド状ナノ粒子を該少なくとも１種の水分散性脱泡剤と混合する、請求項１の水担体中添加物組成物。
【請求項６】
少なくとも１種の水溶性脱泡剤、又は、無機塩をさらに含んでなる請求項１の水担体中添加物組成物。
【請求項７】
少なくとも１種のセメント性結合剤と請求項１の水担体中添加物組成物を一緒に混合することを含んでなる、水和性セメント性組成物の改質方法。
【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
食品移動用搬送システムにおいて：
間隔が空いている複数の食品を搬送し、第１の予め決められた速度で移動させる、第１端部と第２端部を有する第１コンベヤと；
食品の位置を検出するように配置された少なくとも１つのセンサー要素と；
前記少なくとも１つのセンサー要素と電気通信を行う複数の間隔が空いている変位部材と；
を具え、
前記食品の検出した位置に基づいて前記複数の間隔が空いている変位部材の１つが作動し、食品を前記第１コンベヤから、第２の予め決められた速度で動いている第２コンベヤへと移動させ；
前記複数の変位部材がフレームに沿って予め決められた位置に固定されている；
ことを特徴とする搬送システム。
【請求項２】
請求項１に記載の搬送システムにおいて、
前記複数の間隔が空いている変位部材が空気を動力として作動することを特徴とする搬送システム。
【請求項３】
請求項１に記載の搬送システムにおいて、
前記第１の予め決められた速度が、前記第２の予め決められた速度よりも速いことを特徴とする搬送システム。
【請求項４】
請求項１に記載の搬送システムにおいて、
前記複数の変位部材のうちの１つの作動が、前記食品の検出位置と、前記食品の予め決められた所望の位置との比較に基づき決定されることを特徴とする搬送システム。
【請求項５】
請求項４に記載の搬送システムにおいて、
前記検出した位置と所望の位置が許容範囲内にある場合に、前記第１コンベヤの中心付近の変位部材が作動し、
前記検出した位置が所望の位置よりも前方にある場合には、前記第１端部付近の変位部材が作動し、
前記検出した位置が所望の位置よりも後方にある場合には、前記第２端部付近の変位部材が作動する、
ことを特徴とする搬送システム。
【請求項６】
請求項１に記載の搬送システムにおいて、
前記複数の変位部材のうちの１つの作動が、所望の最小間隔と比較した、第１の製品の位置と第２の製品の位置との間の算出した間隔に基づいて決定されることを特徴とする搬送システム。
【請求項７】
請求項１に記載の搬送システムにおいて、
前記第１及び第２のコンベヤが、第１のコンベヤセットであることを特徴とする搬送システム。
【請求項８】
請求項７に記載の搬送システムが、更に、第１及び第２コンベヤでなる第２のコンベヤセットを具えることを特徴とする搬送システム。
【請求項９】
請求項１に記載の搬送システムにおいて、
前記食品がソーセージであることを特徴とする搬送システム。
【請求項１０】
食品をローダーに搬送する方法において：
フレームの長さに沿って走行し、第１の予め決められた速度で動く第１コンベヤ上で間隔を空けて食品を搬送するステップと；
センサー要素を用いて食品の位置を検出するステップと；
前記食品の検出した位置に基づいて、予め決められた位置で移動している食品を、前記第１コンベヤから、前記フレームの長さに沿って前記第１コンベヤと平行であり、第２の予め決められた速度で動いている第２コンベヤへ、移動させるステップと；を具え、
前記第１の予め決められた速度が前記第２の予め決められた速度より速い； 
ことを特徴とする食品の搬送方法。
【請求項１１】
請求項１０に記載の搬送方法において、
前記検出した食品の位置と、予め決められた所望の食品の位置との比較に基づいて、前記複数の変位部材のうちの１つの作動が決定されることを特徴とする搬送方法。
【請求項１２】
請求項１１に記載の搬送方法において、
前記検出した位置と所望の位置が許容範囲内にある場合に、前記第１コンベヤの中心付近の変位部材が作動し、
前記検出した位置が所望の位置よりも前方にある場合には、前記第１端部付近の変位部材が作動し、
前記検出した位置が所望の位置よりも後方にある場合には、前記第２端部付近の変位部材が作動する、
ことを特徴とする搬送方法。
【請求項１３】
請求項１０に記載の搬送方法において、
前記複数の変位部材のうちの１つの作動が、所望の最小間隔と比較した、第１の製品の位置と第２の製品の位置との間の算出した間隔に基づいて決定される
ことを特徴とする搬送方法。
【請求項１４】
請求項１０に記載の搬送方法において、
前記第２コンベヤが前記第１コンベヤと平行していることを特徴とする搬送方法。
【請求項１５】
請求項１に記載の搬送システムにおいて、
前記変位部材の各々が作動部材を有することを特徴とする搬送システム。
【請求項１６】
請求項１５に記載の搬送システムにおいて、
前記作動部材がバルブであることを特徴とする搬送システム。
【請求項１７】
食品移動用搬送システムにおいて：
間隔が空いている複数の食品を搬送し、第１の予め決められた速度で移動させる、第１端部と第２端部を有する第１コンベヤと；
食品の位置を検出するように配置された少なくとも１つのセンサー要素と；
前記少なくとも１つのセンサー要素と電気通信を行う複数の間隔が空いている変位部材と；
を具え、
前記食品の検出した位置に基づいて前記複数の間隔が空いている変位部材の１つが作動し、食品を前記第１コンベヤから、第２の予め決められた速度で動いている第２コンベヤへと移動させ；
前記検出した位置と所望の位置が許容範囲内にある場合に、前記第１コンベヤの中心付近の変位部材が作動し、
前記検出した位置が所望の位置よりも前方にある場合には、前記第１端部付近の変位部材が作動し、
前記検出した位置が所望の位置よりも後方にある場合には、前記第２端部付近の変位部材が作動する；
ことを特徴とする搬送システム。
【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
対象における粘膜毛様体クリアランスを増大させる薬剤の製造における、嚢胞性線維症膜コンダクタンス制御因子（ＣＦＴＲ）の活性化因子の使用。
【請求項２】
請求項１に記載の使用において、前記対象が前記ＣＦＴＲ内に先天性又は遺伝的欠陥を有さないことを特徴とする使用。
【請求項３】
請求項１に記載の使用において、前記対象が前記細胞粘膜毛様体クリアランス器官内に後天性異常を有さないことを特徴とする使用。
【請求項４】
請求項１に記載の使用において、前記対象が前記ＣＦＴＲ内に後天性異常を有さないことを特徴とする使用。
【請求項５】
請求項１に記載の使用において、前記対象が、前記細胞粘膜毛様体クリアランス器官内に先天性又は遺伝的欠陥を有さず、前記細胞粘膜毛様体クリアランス器官内に後天性異常を有さないことを特徴とする使用。
【請求項６】
請求項１に記載の使用において、前記ＣＦＴＲの前記活性化因子が、式：
2015521157.tif 000001
（式中：
Ｒ１は、＝Ｏ、ＯＨ又はＨであり；
Ｒ２及びＲ３は、各々独立して、Ｈ、ＯＨ、又は置換若しくは非置換のＣ１〜Ｃ７アルキルである）
の化合物であることを特徴とする使用。
【請求項７】
請求項１に記載の使用において、前記ＣＦＴＲの前記活性化因子が、式：
2015521157.tif 000002
の化合物であることを特徴とする使用。
【請求項８】
請求項１に記載の使用において、前記処置が気道上皮細胞機能のパラメーターを増大させることを特徴とする使用。
【請求項９】
請求項８に記載の使用において、そのようなパラメーターが、（ＡＳＬ）の深さ、毛様体周囲液体（ＰＣＬ）の深さ、毛様体拍動振動数（ＣＢＦ）、粘膜毛様体輸送（ＭＣＴ）の速度、又は前述の任意の組み合わせであることを特徴とする使用。
【請求項１０】
請求項８に記載の使用において、そのようなパラメーターが、ＡＳＬの深さ、ＭＣＴの速度、又は前述の組み合わせであることを特徴とする使用。
【請求項１１】
請求項１０に記載の使用において、前記対象が前記ＣＦＴＲ内に先天性又は遺伝的欠陥を有さないことを特徴とする使用。
【請求項１２】
請求項１０に記載の使用において、前記対象が前記細胞粘膜毛様体クリアランス器官内に後天性異常を有さないことを特徴とする使用。
【請求項１３】
請求項１に記載の使用において、当該使用が前記ＣＦＴＲの活性を増大させることを特徴とする使用。
【請求項１４】
嚢胞性線維症膜コンダクタンス制御因子（ＣＦＴＲ）の活性化因子と、投与指示書、及び選択的に、このような化合物の一またはそれ以上の送達システム及び二次的薬剤とを含むことを特徴とするキット。
【請求項１５】
請求項１４に記載のキットにおいて、前記活性化因子がＣＦＴＲ増強剤であることを特徴とするキット。
【請求項１６】
請求項１４に記載のキットにおいて、前記指示書が、神経筋疾患により起因する準最適粘膜毛様体クリアランスと、筋肉衰弱に起因する後天的身体構造上の問題、免疫不全、粘液の過剰産生、又は環境的要因を示す患者への投与を規定していることを特徴とするキット。
【請求項１７】
請求項１４に記載のキットにおいて、前記指示書が、前記ＣＦＴＲ内に先天性又は遺伝的欠陥を有さない対象への投与を規定していることを特徴とするキット。
【請求項１８】
請求項１４に記載のキットにおいて、前記指示書が、前記細胞粘膜毛様体クリアランス器官内に後天性異常を有さない対象への投与を規定していることを特徴とするキット。
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
少なくとも１つの水溶性無機フッ化物化合物、少なくとも１つの補助的な強酸、水、及び溶解された水溶性の高分子量ポリ（エチレンオキシド）ポリマー増粘剤を含む、ガラスエッチング媒体。
【請求項２】
前記少なくとも１つのフッ化物化合物はＨＦを含み、前記ＨＦは前記媒体中に約１〜７Ｍの範囲内の濃度で存在する、請求項１に記載の媒体。
【請求項３】
前記少なくとも１つの補助的な強酸は、鉱酸及び有機強酸からなる群から選択された酸を含む、請求項１に記載の媒体。
【請求項４】
前記溶解された水溶性のポリマー増粘剤は、実質的に少なくとも１０５ｇ／モルの分子量を有する非イオン性のポリ（エチレンオキシド）ポリマーである、請求項１に記載の媒体。
【請求項５】
分解及び沈殿に対して安定しており、かつ約１〜７Ｍの範囲内のＨ２ＳＯ４濃度の水性Ｈ２ＳＯ４中における酸化分解に対して安定している、請求項１に記載の媒体。
【請求項６】
ガラス板をエッチングする方法であって、
溶解された水溶性の高分子量ポリ（エチレンオキシド）ポリマー増粘剤を含む酸性フッ化物エッチング媒体に、前記板の表面を曝露させる工程を含む、方法。
【請求項７】
前記ガラス板上にアンチグレア表面の生成に効果的なエッチングマスク層を設け、
選択された曝露時間は、８０超のＤＯＩを有するアンチグレア表面を生成する時間より長く、かつ２０％超の曇りレベルを有するエッチングされたガラス板を生成するのに効果的な時間未満である、請求項６に記載の方法。
【請求項８】
前記曝露工程は、前記表面に亘る前記媒体の側方流動を抑制しながら、前記エッチング媒体の層を前記表面上に堆積する工程を含む、請求項６に記載の方法。
【請求項９】
前記曝露工程を実施するために使用される前記媒体は、溶解ガラス成分を実質的に含まない、請求項６に記載の方法。
【請求項１０】
前記高分子量ポリ（エチレンオキシド）ポリマー増粘剤は、実質的に少なくとも１０５ｇ／モルの分子量を有し、
前記増粘剤は、約５重量％以下の濃度で前記媒体中に存在し、
前記媒体は、１０  １／秒の剪断速度で約１２０〜６２００センチポアズ（１２０〜６２００ｍＰａ・ｓ）の範囲内の粘度を有する、請求項６に記載の方法。
【誤訳訂正書】
【提出日】平成28年7月26日(2016.7.26)
【誤訳訂正１】
【訂正対象書類名】明細書
【訂正対象項目名】０００３
【訂正方法】変更
【訂正の内容】
【０００３】
新しいモニタリング診断は、より高いダウンストリームレートが達成可能であると仮定して、自己誘導遠端クロストーク（ｓｅｌｆ−ＦＥＸＴ）打ち消しおよび変化するノイズおよびクロストーク状態へのダウンストリーム受信機の感受性の増加の後のレートの増加を仮定すると、Ｇ．９９３．５（Ｇ．ｖｅｃｔｏｒ）環境において望ましい。たとえば、現在のところ、ＳＮＲの１ビン当たりの平均推定値だけが診断およびモニタリングＳＷモジュールへのレポートのためＧ．９９７．１（Ｇ．ｐｌｏａｍ）標準によって利用可能であり、これらの診断ツールがノイズ環境の性質および変化を検出し、解釈する能力を制限する。
【誤訳訂正２】
【訂正対象書類名】明細書
【訂正対象項目名】００１０
【訂正方法】変更
【訂正の内容】
【００１０】
上記およびその他の態様によれば、本発明の実施形態による通信システムで実施される方法は、通信システムにおけるダウンストリーム経路の通信状態を監視するために標準エラーパケットの中のデータを利用し、監視された回線状態は、顧客構内設備（ＣＰＥ）および遠隔的な診断アプリケーションのうちの少なくとも１つによって使用される。
【誤訳訂正書】
【提出日】平成28年11月2日(2016.11.2)
【誤訳訂正１】
【訂正対象書類名】明細書
【訂正対象項目名】００５１
【訂正方法】変更
【訂正の内容】
【００５１】
比較例１〜５の評価結果は、電池は、繊維径が小さいカーボンナノチューブと繊維長さが長いカーボンナノチューブを大量に含むときに、優れた性能を有することを示す。これは、活物質であるオリビン型リチウム鉄リン酸塩の導電性および粒子の導電性ネットワークの優秀さによると考えられる。比較例５の電池の場合のように、非常に大量の導電性材料を含む電池は、改良された特性を有する。
【誤訳訂正２】
【訂正対象書類名】特許請求の範囲
【訂正対象項目名】全文
【訂正方法】変更
【訂正の内容】
【特許請求の範囲】
【請求項１】
（１）反応性物質としてのリチウム化合物および少なくとも３種類の炭素材料を含むリチウム二次電池のための正電極材料であり：
第１の種類の炭素材料は、反応性物質粒子表面の被覆として用意され；
第２の種類の炭素材料は、カーボンブラックであり；ならびに
第３の種類の炭素材料は、少なくとも２種類の繊維状炭素材料の混合物として用意される繊維状炭素材料であり、
リチウム化合物は、リン酸塩、オキシリン酸塩、ケイ酸塩、オキシケイ酸塩またはフルオロリン酸塩であり、
第１の種類の繊維状炭素材料が、繊維径５〜１５nmおよび繊維長さ１〜３μｍであり、第２の種類の繊維状炭素材料が、繊維径７０〜１５０nmおよび繊維長さ５〜１０μｍである、正電極材料。
【請求項２】
リチウム化合物が遷移金属である金属を含む、請求項１に記載の正電極材料。
【請求項３】
リチウム化合物が、LiFePO4、LiMnPO4、LiFeSiPO4、SiO、SiO2、またはＳｉOｘ（0≦x＜2）である、請求項１に記載の正電極材料。
【請求項４】
リチウム化合物がリン酸リチウムである、請求項１に記載の正電極材料。
【請求項５】
炭素材料被覆が、グラフェンまたは無定形の形態であり、結合は炭素原子間で形成され、それにより電子伝導性を促進する、請求項１〜４のいずれか１項に記載の正電極材料。
【請求項６】
炭素材料被覆の厚さが１〜１０nmである、請求項１〜５のいずれか１項に記載の正電極材料。
【請求項７】
カーボンブラックが導電性カーボンブラックである、請求項１〜６のいずれか１項に記載の正電極材料。
【請求項８】
繊維状炭素材料が、カーボンナノチューブ、カーボンナノファイバーまたはそれらの組み合わせである請求項１〜７のいずれか１項に記載の正電極材料。
【請求項９】
カーボンブラックと繊維状炭素材料の合計量が、材料の全体量の２ｗｔ％以上である請求項１〜８のいずれか１項に記載の正電極材料。
【請求項１０】
カーボンブラックと繊維状炭素材料の重量比が(２〜８)/（１〜３）である、請求項１〜９のいずれか１項に記載の正電極材料。
【請求項１１】
正電極材料がさらにバインダーを含み、バインダーが、フッ素含有樹脂、熱可塑性樹脂、分散型樹脂またはそれらの組み合わせである、請求項１〜１０のいずれか１項に記載の正電極材料。
【請求項１２】
炭素材料どうしが仮焼により炭素原子間の結合により複合化されている、請求項１〜１１のいずれか１項に記載の正電極材料。
【請求項１３】
（ａ）反応性物質としてリン酸塩、オキシリン酸塩、ケイ酸塩、オキシケイ酸塩またはフルオロリン酸塩であるリチウム化合物を用意すること；
（ｂ）反応性物質粒子表面を炭素材料で被覆すること；ならびに
（ｃ）被覆された反応性物質を、カーボンブラックおよび少なくとも２種類の繊維状炭素材料の混合物と混合し、第１の種類の繊維状炭素材料が、繊維径５〜１５nmおよび繊維長さ１〜３μｍであり、第２の種類の繊維状炭素材料が、繊維径７０〜１５０nmおよび繊維長さ５〜１０μｍであり、段階（ｃ）は圧縮せん断衝撃型の粒子複合化方法により実施されること、
を含むリチウム二次電池のための正電極材料の製造方法。
【請求項１４】
さらに、（ｄ）段階（ｃ）で得られた混合物を仮焼することを含む、請求項１３に記載の方法。
【請求項１５】
段階（ｄ）が７００〜８５０℃の温度で実施される、請求項１３または１４に記載の方法。
【請求項１６】
段階（ｄ）が０．５〜２時間の時間で実施される、請求項１３〜１５のいずれか１項に記載の方法。
【請求項１７】
段階（ｄ）が不活性雰囲気下に実施される、請求項１３〜１６のいずれか１項に記載の方法。
【請求項１８】
リチウム化合物が遷移金属である金属を含む、請求項１３〜１７のいずれか１項に記載の方法。
【請求項１９】
リチウム化合物が、LiFePO4、LiMnPO4、LiFeSiPO4、SiO、SiO2、またはＳｉOｘ（0≦x＜2）である、請求項１３〜１７のいずれか１項に記載の方法。
【請求項２０】
リチウム化合物がリン酸リチウムである、請求項１３〜１７のいずれか１項に記載の方法。
【請求項２１】
請求項１〜１２のいずれか１項に記載の正電極材料を含むリチウム二次電池。